(57)【要約】【課題】  電話回線に接続した端末装置により制御する洗濯乾燥機の制御システムにおいて、洗濯乾燥機でプログラム内容として洗い、すすぎの少なくともいずれか一方と乾燥行程のみを受信した場合に、脱水行程を自動的に追加させ、使い勝手を向上する。【解決手段】  洗濯乾燥機２９と、洗濯乾燥機２９を制御する端末装置２８とを具備する制御システムであって、端末装置２８は、洗濯乾燥機２９によって実行されるプログラムをネットコース設定部３１により設定し、プログラムの情報を端末送受信部３３により送信する。洗濯乾燥機２９は、送信されたプログラムの情報を洗濯乾燥機送受信部３８により受信し、記憶部４０に記憶し、制御部３９によりプログラム制御する。洗濯乾燥機送受信部３８がプログラムとして、洗い、すすぎの少なくともいずれか一方と乾燥行程を受信した場合に、制御部３９は脱水行程を自動的に記憶部４０に追加記憶する。【選択図】  図１
2005065910.tif 000002
【特許請求の範囲】
【請求項１】
洗濯乾燥機と、前記洗濯乾燥機を制御する端末装置とを具備する制御システムであって、前記端末装置は、前記洗濯乾燥機によって実行されるプログラムを設定するプログラム設定手段と、前記プログラム設定手段によって設定されたプログラムの内容を表す情報を送信する端末側送受信手段とを備え、前記洗濯乾燥機は、前記端末装置に設けた前記端末側送受信手段によって送信されたプログラムの内容を表す情報を受信する機器側送受信手段と、前記機器側送受信手段によって受信されたプログラムの内容を表す情報を記憶する不揮発性記憶手段と、前記不揮発性記憶手段に記憶されたプログラムの内容を表す情報に基づいてプログラム制御する制御手段とを備え、前記機器側送受信手段がプログラムとして、洗い、すすぎの少なくともいずれか一方と乾燥行程を受信した場合に、前記制御手段は脱水行程を自動的に前記不揮発性記憶手段に追加記憶するようにした洗濯乾燥機の制御システム。
【請求項２】
追加した脱水行程は予め決められた時間とした請求項１記載の洗濯乾燥機の制御システム。
【請求項３】
洗濯乾燥機は、プログラムの内容を表示する表示部を備え、制御手段は追加した脱水行程を表示するようにした請求項１記載の洗濯乾燥機の制御システム。
【請求項４】
表示部は、一定時間点滅することで表示するようにした請求項３記載の洗濯乾燥機の制御システム。
【請求項５】
洗濯乾燥機は、脱水行程追加確認手段を備え、制御手段は、前記脱水行程追加確認手段が押されないと運転開始させないようにした請求項１記載の洗濯乾燥機の制御システム。
【請求項６】
洗濯乾燥機と、前記洗濯乾燥機を制御する端末装置とを具備する制御システムであって、前記端末装置は、前記洗濯乾燥機によって実行されるプログラムを設定するプログラム設定手段と、前記プログラム設定手段によって設定されたプログラムの内容を表す情報を送信する端末側送受信手段とを備え、前記洗濯乾燥機は、前記端末装置に設けた前記端末側送受信手段によって送信されたプログラムの内容を表す情報を受信する機器側送受信手段と、前記機器側送受信手段によって受信されたプログラムの内容を表す情報を記憶する不揮発性記憶手段と、前記不揮発性記憶手段に記憶されたプログラムの内容を表す情報に基づいてプログラム制御する制御手段とを備え、前記プログラム設定手段によるプログラム内容として、洗い、すすぎの少なくともいずれか一方と乾燥行程のみを送信した場合に、前記プログラム設定手段にて異常表示を行なうようにした洗濯乾燥機の制御システム。
【発明の詳細な説明】
【技術分野】
【０００１】
本発明は、電話回線に接続した端末装置により制御する洗濯乾燥機の制御システムに関するものである。
【背景技術】
【０００２】
従来、例えば、洗い、すすぎ、脱水、乾燥の一連の行程をプログラム制御する洗濯乾燥機は、図１０〜図１２に示すように構成していた（例えば、特許文献１参照）。以下、この構成について説明する。
【０００３】
図１０に示すように、筐体３は略長方体に構成し、この筐体３の内部に、略円筒形に構成した水受け槽４を吊り棒５によって吊り下げ、この水受け槽４内に、略円筒形状に構成した洗濯兼脱水槽６を内包している。洗濯兼脱水槽６の底部には、撹拌翼７を垂直方向に沿った軸の回りに回転自在に設けている。水受け槽４には、撹拌翼７を回転させるモータ８を設け、モータ８は、直流ブラシレスモータによって構成している。モータ８と撹拌翼７との間には、動力切換機構９を設け、この動力切換機構９は、洗濯時にはモータ８からの駆動力を減速して撹拌翼７へ伝達し、脱水時にはモータ８からの駆動力を１対１で撹拌翼７へ伝達する。
【０００４】
水受け槽４の上には、散水用の吐出部を形成するカバー体１０を設けている。また、水受け槽４の上方に、洗濯兼脱水槽６内に給水する給水弁１１を設けている。さらに、水受け槽４の上部にはヒータ６６とファン６５とを一体に構成した温風発生装置を設け、ダクト６７により水受け槽４の内部に温風を送り込む。水受け槽４の下方に、水受け槽４内の洗濯水を排水する排水弁１２を設けている。水受け槽４の下部に接続部１３を設け、この接続部１３に水受け槽４の水位を検知する水位検知器１４を接続し、水位検知器１４は接続部１３における水圧を電気的な周波数に変換するよう構成している。
【０００５】
モータ８は、図１１に示すように、インバータ回路１５によって駆動され、インバータ回路１５は、６個のスイッチング素子１６Ａ〜１５Ｆを有し、各スイッチング素子１６Ａ〜１６Ｆは、パワートランジスタと逆導通ダイオードとによって構成される並列回路をそれぞれ有している。
【０００６】
電源１７は、ダイオードブリッジ１８とチョークコイル１９と平滑用コンデンサ２０とによって構成される直流電源変換装置を介してインバータ回路１５へ電圧を供給する。また、電源１７は給水弁１１、排水弁１２、動力変換機構９、ファン６５、ヒータ６６に電圧を供給する。モータ８には、３個の位置検出器２１を設け、各位置検出器２１は、モータ８の回転位置を検出する。
【０００７】
制御部２２は、回転制御部２３を有し、この回転制御部２３は、各位置検出器２１によって検出されたモータ８の回転位置と水位検知器１４によって検知された水受け槽４の水位とに基づいて駆動回路２４を制御する。駆動回路２４は、回転制御部２３からの指示に基づいてインバータ回路１５を駆動する。給水弁１１、排水弁１２、動力変換機構９、ファン６５、ヒータ６６は、負荷駆動部２５に接続しており、負荷駆動部２５は、制御部２２からの指示に基づいて、給水弁１１、排水弁１２、動力変換機構９、ファン６５、ヒータ６６とをそれぞれ駆動する。
【０００８】
操作部２は、洗い時間、すすぎ回数、脱水時間などを入力する入力部２６と、入力部２６に入力された洗い時間、すすぎ回数、脱水時間などを表示する表示部２７とを有し、入力部２６は、図１２に示すように、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチボタン２６ｄ、スタート・一時停止スイッチ２６ｅ、電源入りスイッチ２６ｆ、電源切りスイッチ２６ｇなどを有し、表示部２７は、洗い時間表示部２７ａ、すすぎ回数表示部２７ｂ、脱水時間表示部２７ｃ、乾燥時間表示部２７ｄなどを有している。
【０００９】
また、入力部２６は、複数の基本運転コースと特別運転コースとのいずれかを選択する運転コース選択スイッチ２６ｈと、複数の基本運転コースと特別運転コースとのそれぞれに対応する複数の運転コース選択表示部２７ｅとを設けている。ここで、特別運転コースは、入力部２６に入力された洗い時間、すすぎ回数、脱水時間、乾燥時間をそれぞれ補正することによって設定する。
【００１０】
複数の運転コース選択表示部２７ｅは、発光ダイオードによって構成されている。基本運転コースには、例えば、「おまかせコース」と「お急ぎコース」と「おうちクリーニングコース」が含まれている。「おまかせコース」は、最も標準的な運転コースであって、例えば洗い時間が「９分」に設定されており、すすぎ回数が「注水２回」に設定されており、脱水時間が「７分」に設定されたコースである。「お急ぎコース」は、急いで洗濯するための基本運転コースであって、例えば洗い時間が「３分」に設定されており、すすぎ回数が「注水１回」に設定されており、脱水時間が「３分」に設定されている。「おうちクリーニングコース」は、クリーニングを推奨されている衣類を家庭内の洗濯乾燥機において洗うための基本運転コースであって、例えば洗い時間が「１２分」に設定されており、すすぎ回数が「ため２回」に設定されており、脱水時間が「４０秒」に設定されている。
【００１１】
特別運転コースは、洗い時間、すすぎ回数、脱水時間、乾燥時間を任意に設定することができる。運転コース選択表示部２７ｅは、「おまかせコース」、「お急ぎコース」、「おうちクリーニングコース」、「特別運転コース」ごとにそれぞれ設けている。運転コース選択スイッチ２６ｈを押すたびに「おまかせコース」、「お急ぎコース」、「おうちクリーニングコース」、「特別運転コース」と、この順番に運転コース選択表示部２７ｅが切り替わって点灯してゆく。
【００１２】
上記構成において動作を説明する。運転コース選択スイッチ２６ｈを押すことによって、特別運転コースが選択されると、最も標準的な運転コースである「おまかせコース」に予め規定された洗い時間、すすぎ回数、脱水時間が洗い時間表示部２７ａ、すすぎ回数表示部２７ｂ、脱水時間表示部２７ｃに表示される。そして、ユーザーは、洗い時間表示部２７ａ、すすぎ回数表示部２７ｂ、脱水時間表示部２７ｃに表示された「おまかせコース」の洗い時間、すすぎ回数、脱水時間とを参照しながら、「おまかせコース」の洗い時間、すすぎ回数、脱水時間を補正するように、所望の洗い時間設定スイッチ２６ａ、すすぎ回数設定スイッチ２６ｂ、脱水時間設定スイッチ２６ｃを押すことによって、特別運転コースを設定する。また、衣類の乾燥まで行ないたい場合は、乾燥時間設定スイッチボタン２６ｄを押すことによって乾燥時間を追加設定することも可能である。その後、制御部２２は、入力部２６によって設定された特別運転コースに基づいて、洗い、すすぎ、脱水、乾燥の一連の行程を実行するように、駆動回路２４と負荷駆動部２５とを制御する。
【特許文献１】特開２００２−１１９７８８号公報
【発明の開示】
【発明が解決しようとする課題】
【００１３】
しかしながら、このような従来の構成では、特別運転コースを設定して運転する場合は、最も標準的な運転コースである「おまかせコース」に規定された洗い時間「９分」とすすぎ回数「注水２回」と脱水時間「７分」を参照しながら特別運転コースを設定する。ここで、洗濯乾燥機だけで構成されている場合だけではなく、特別運転コースを設定する端末装置が存在する場合、端末装置と情報のやりとりが前提となる。この場合、使用者がしばらく着ていない衣類を一度水洗いして乾燥したいと考えて、端末装置にて洗い、すすぎの少なくともいずれか一方と乾燥行程を選んで、特別運転コースの内容を端末装置から送信すると、洗濯乾燥機としては洗い行程またはすすぎ行程の最後は水を溜めて終了するため、この後、乾燥行程に入ることができないので、使用者が設定した特別運転コースを運転することができないという問題がある。
【００１４】
本発明は上記従来の課題を解決するもので、洗濯乾燥機でプログラム内容として洗い、すすぎの少なくともいずれか一方と乾燥行程のみを受信した場合に、制御手段は洗い行程の後に、脱水行程を自動的に追加させることにより使い勝手を向上することを目的としている。
【課題を解決するための手段】
【００１５】
本発明は上記目的を達成するために、洗濯乾燥機と、洗濯乾燥機を制御する端末装置とを具備する制御システムであって、端末装置は、洗濯乾燥機によって実行されるプログラムをプログラム設定手段により設定し、プログラム設定手段によって設定されたプログラムの内容を表す情報を端末側送受信手段により送信するよう構成し、洗濯乾燥機は、端末装置に設けた端末側送受信手段によって送信されたプログラムの内容を表す情報を機器側送受信手段により受信し、機器側送受信手段によって受信されたプログラムの内容を表す情報を不揮発性記憶手段に記憶し、制御手段により不揮発性記憶手段に記憶されたプログラムの内容を表す情報に基づいてプログラム制御するするよう構成し、機器側送受信手段がプログラムとして、洗い、すすぎの少なくともいずれか一方と乾燥行程を受信した場合に、制御手段は脱水行程を自動的に不揮発性記憶手段に追加記憶するようにした洗濯乾燥機の制御システムである。
【００１６】
これにより、使用者はしばらく着ていない衣類を一度水洗いして乾燥したいと考えて、端末装置にて洗い、すすぎの少なくともいずれか一方と乾燥行程を選んで、特別運転コースの内容を端末装置から送信しても、脱水行程を自動的に追加したプログラム（特別運転コース）を記憶し、プログラム制御することができ、使い勝手を向上することができる。
【発明の効果】
【００１７】
本発明の洗濯乾燥機の制御システムは、端末装置にて洗い、すすぎの少なくともいずれか一方と乾燥行程を選んで、特別運転コースの内容を端末装置から送信しても、脱水行程を自動的に追加したプログラム（特別運転コース）を記憶し、プログラム制御することができ、使い勝手を向上することができる。
【発明を実施するための最良の形態】
【００１８】
第１の発明は、洗濯乾燥機と、前記洗濯乾燥機を制御する端末装置とを具備する制御システムであって、前記端末装置は、前記洗濯乾燥機によって実行されるプログラムを設定するプログラム設定手段と、前記プログラム設定手段によって設定されたプログラムの内容を表す情報を送信する端末側送受信手段とを備え、前記洗濯乾燥機は、前記端末装置に設けた前記端末側送受信手段によって送信されたプログラムの内容を表す情報を受信する機器側送受信手段と、前記機器側送受信手段によって受信されたプログラムの内容を表す情報を記憶する不揮発性記憶手段と、前記不揮発性記憶手段に記憶されたプログラムの内容を表す情報に基づいてプログラム制御する制御手段とを備え、前記機器側送受信手段がプログラムとして、洗い、すすぎの少なくともいずれか一方と乾燥行程を受信した場合に、前記制御手段は脱水行程を自動的に前記不揮発性記憶手段に追加記憶するようにした洗濯乾燥機の制御システムであり、端末装置は、プログラム設定手段により洗い、すすぎ、脱水、乾燥など各行程のプログラム（特別運転コース）の内容を設定することができ、このプログラムを端末側送受信手段によって洗濯乾燥機に転送する。洗濯乾燥機は機器側送受信手段によって受信し、受信したプログラムに基づいて特別運転コースを運転することができる。ここで、プログラム設定手段により、洗い、すすぎの少なくともいずれか一方と乾燥行程のみを設定し、機器側送受信手段がこのプログラム内容を受信した場合に、制御手段は脱水行程を自動的に追加し、洗い、すすぎ、脱水、乾燥行程のプログラム（特別運転コース）として不揮発性記憶手段に記憶させることにより使用者はしばらく着ていない衣類を一度水洗いして乾燥したいと考えて、端末装置にて洗い、すすぎの少なくともいずれか一方と乾燥行程を選んで、特別運転コースの内容を端末装置から送信しても、脱水行程を自動的に追加したプログラム（特別運転コース）を運転できるため、使い勝手を向上することができる。
【００１９】
第２の発明は、上記第１の発明において、追加した脱水行程は予め決められた時間とした洗濯乾燥機の制御システムであり、確実に脱水を行い、乾燥性能を満足することができ、使い勝手を向上することができる。
【００２０】
第３の発明は、上記第１の発明において、洗濯乾燥機は、プログラムの内容を表示する表示部を備え、制御手段は追加した脱水行程を表示するようにした洗濯乾燥機の制御システムであり、使用者によって設定されたプログラム（特別運転コース）の内容に脱水行程が追加になったことを表示することで、使用者に脱水行程が必要であったこと、または、脱水行程を運転することを知らせることができる。
【００２１】
第４の発明は、上記第３の発明において、表示部は、一定時間点滅することで表示するようにした洗濯乾燥機の制御システムであり、使用者に脱水行程を自動的に追加したことをより確実に知らせることができる。
【００２２】
第５の発明は、上記第１の発明において、洗濯乾燥機は、脱水行程追加確認手段を備え、制御手段は、前記脱水行程追加確認手段が押されないと運転開始させないようにした洗濯乾燥機の制御システムであり、使用者に脱水行程を追加してあることの認識をしてもらうことができる。
【００２３】
第６の発明は、洗濯乾燥機と、前記洗濯乾燥機を制御する端末装置とを具備する制御システムであって、前記端末装置は、前記洗濯乾燥機によって実行されるプログラムを設定するプログラム設定手段と、前記プログラム設定手段によって設定されたプログラムの内容を表す情報を送信する端末側送受信手段とを備え、前記洗濯乾燥機は、前記端末装置に設けた前記端末側送受信手段によって送信されたプログラムの内容を表す情報を受信する機器側送受信手段と、前記機器側送受信手段によって受信されたプログラムの内容を表す情報を記憶する不揮発性記憶手段と、前記不揮発性記憶手段に記憶されたプログラムの内容を表す情報に基づいてプログラム制御する制御手段とを備え、前記プログラム設定手段によるプログラム内容として、洗い、すすぎの少なくともいずれか一方と乾燥行程のみを送信した場合に、前記プログラム設定手段にて異常表示を行なうようにした洗濯乾燥機の制御システムであり、使用者は洗濯乾燥機にプログラム（特別運転コース）を送信する時点で間違いを知ることができるので、脱水行程を追加したプログラムの内容で送信し直すことができる。
【００２４】
以下、本発明の実施の形態について、図面を参照しながら説明する。なお、従来例と同じ構成のものは同一符号を付して説明を省略する。また、この実施の形態によって本発明が限定されるものではない。
【００２５】
（実施の形態１）
図１および図２に示すように、端末装置２８は、電話回線（図示せず）を通して与えられる指令に基づいて、洗濯乾燥機２９を制御するもので、端末装置２８と洗濯乾燥機２９とは、無線によるネットワークを介して接続している。端末装置２８は、端末操作部３０を備えており、この端末操作部３０には、図３に示すように、ネットコース設定部（プログラム設定手段）３１と転送開始ボタン（送信開始指示手段）３２とを設けている。ネットコース設定部３１は、洗い、すすぎ、脱水、乾燥の一連の行程の少なくとも１つの行程の内容を補正することによって、洗濯乾燥機２９によって実行されるネットコース（プログラム）の内容を設定する。
【００２６】
端末送受信部（端末側送受信手段）３３は、ネットコース設定部３１によって設定されたネットコースの内容を表す情報を無線によるネットワークを介して洗濯乾燥機２９に送信する。ここで、端末操作部３０と端末送受信部３３へ電圧を供給する電源を有し、電源は、電池によって構成してもよい。
【００２７】
ネットコース設定部３１は、端末表示部３４と端末入力部３５を有し、端末表示部３４にはネットコースで設定されている洗い、すすぎ、脱水、乾燥の行程の内容が表示される。端末入力部３５によって、設定内容を変更できるようにしている。運転状態判定手段３６は、端末送受信部３３によって受信したデータによって、洗濯乾燥機２９の運転状態を判定するものである。ここで、端末操作部３０は、タッチパネルによって構成しており、ネットコース設定部３１と転送開始ボタン３２を覆うように形成している。
【００２８】
洗濯乾燥機２９は、図４に示すように、操作部３７を備え、この操作部３７は、図示していないが入力部と表示部を有している。入力部は、図５に示すように、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチ２６ｄ、スタート・一時停止スイッチ２６ｅ、電源入りスイッチ２６ｆ、電源切りスイッチ２６ｇなどを有するとともに、既存コース選択スイッチ２６ｉを有している。
【００２９】
既存コース選択スイッチ２６ｉで洗濯乾燥機２９があらかじめ持っているコースのうちの一つを選択し、スタート・一時停止スイッチ２６ｅで運転開始を指示し、電源入りスイッチ２６ｆ、電源切りスイッチ２６ｇで洗濯乾燥機２９の電源を入れたり切ったりすることができる。
【００３０】
表示部は、洗い時間表示部２７ａ、すすぎ回数表示部２７ｂ、脱水時間表示部２７ｃ、乾燥時間表示部２７ｄなどを有するとともに、ネットコースが選択された場合に点灯するネットコース表示部２７ｆを有している。
【００３１】
洗濯乾燥機２９は、洗濯乾燥機送受信部（機器側送受信手段）３８を有している。洗濯乾燥機送受信部３８は、端末装置２８に設けた端末送受信部３３によって送信されたネットコースの内容を表す情報を受信する。
【００３２】
端末装置２８に設けた端末送受信部３３と洗濯乾燥機２９に設けた洗濯乾燥機送受信部３８とは、ＥＣＨＯＮＥＴ規格に基づいて情報を送受信する。ＥＣＨＯＮＥＴ規格は、家庭電化機器をネットワークによって接続するための規格であり、特に既設住宅においても家庭電化機器をネットワークに容易に接続し、コントロールすることができる汎用的かつオープンなシステムを構成する。
【００３３】
洗濯乾燥機２９には、制御部（制御手段）３９を設け、この制御部３９は、記憶部（不揮発性記憶手段）４０を有し、この記憶部４０は、洗濯乾燥機送受信部３８によって受信されたネットコース（プログラム）の内容を表す情報を記憶している。また、制御部３９は、洗濯乾燥機送受信部３８によって受信され、記憶部４０に記憶されたネットコースの内容を表す情報に基づいて、洗い、すすぎ、脱水、乾燥の一連の行程をプログラム制御する。
【００３４】
上記構成において図３および図６を参照しながら動作を説明する。なお、図６で、ステップ４１からステップ４６までとステップ５０からステップ５３までは端末装置２８の動作を示し、ステップ４７からステップ４９までとステップ５４からステップ５９までは洗濯乾燥機２９の動作を示している。
【００３５】
まず、端末装置２８の端末操作部３０に設けた電源ボタンを押すと、ステップ４１にて、図３（ａ）に示すように、ネットコース設定内容がネットコース設定部３１に設けた端末表示部３４に表示される。つぎに、ステップ４２にて、ネットコース設定内容の初期値から、洗い時間、すすぎ回数、脱水時間、乾燥時間のいずれを変更するかを判定する。
【００３６】
ステップ４３では、洗い時間が変更された場合を示している。図３（ａ）に示す例では、端末入力部３５であるタッチパネルにユーザがタッチすることによって、洗い時間「６分」が洗い時間「９分」に変更された例を示している。ステップ４４では、すすぎ回数が変更された場合を示している。図３（ａ）に示す例では、端末入力部３５であるタッチパネルにユーザがタッチすることによって、すすぎ回数「ため１回」がすすぎ回数「ため２回」に変更された例を示している。
【００３７】
ステップ４５では、脱水時間が変更された場合を示している。図３（ａ）に示す例では、端末入力部３５であるタッチパネルにユーザがタッチすることによって、脱水時間「３分」が脱水時間「７分」に変更された例を示している。ステップ４６では、乾燥時間が変更された場合を示している。図３（ａ）に示す例では、端末入力部３５であるタッチパネルにユーザがタッチすることによって、乾燥時間「２１０分」が乾燥時間「１５０分」に変更された例を示している。
【００３８】
このとき、ステップ４７のように、洗濯乾燥機２９の電源は切状態である。電源が切れているので、洗濯乾燥機２９は受信できる状態（受信可能状態）になっていない。そのため、図３（ａ）に示すように、転送開始ボタンは表示されていない。
【００３９】
つぎに、ステップ４８にて、洗濯乾燥機２９の電源入りスイッチ２６ｆを押すことによって、洗濯乾燥機２９の電源を入れる。ステップ４９にて、洗濯乾燥機２９は洗濯乾燥機送受信部３８により電源入データを送信する。ステップ５０にて、端末装置２８は、運転状態判定手段３６により洗濯乾燥機２９の電源が入ったことを認知する。つまり、洗濯乾燥機２９は受信可能状態になったことを認知する。その結果、ステップ５１にて、図３（ｂ）に示すように、端末操作部３０に転送開始ボタン３２を表示する。
【００４０】
つぎに、ステップ５２にて、ユーザが転送開始ボタン３２を押すと、ステップ５３にて、端末送受信部３３からネットコース設定の全データを送信する。ステップ５４にて、洗濯乾燥機２９は洗濯乾燥機送受信部３８によってネットコース設定の全データを受信する。つぎに、ステップ５５にて記憶部４０にネットコース設定の全データを記憶するとともに、ステップ５６で保存したコース設定が洗い、すすぎの少なくともいずれか一方と乾燥であるかの判断を行なう。
【００４１】
今回の場合は、洗い、すすぎの少なくともいずれか一方と乾燥でない場合なのでステップ５８へ進むが、もし、洗いと乾燥行程のみであった場合は、洗い、すすぎの少なくともいずれか一方と乾燥であるために、ステップ５７へ進み、記憶部４０に脱水行程を追加記憶させる。つぎに、ステップ５８にて、ネットコース表示部２７ｆを点灯させる。記憶部４０は不揮発性であるため、洗濯乾燥機２９の電源が遮断されても、全データを保存することができる。
【００４２】
つぎに、ステップ５９にて、スタート・一時停止スイッチ２６ｅを押すことで、洗濯乾燥機２９は、受信したネットコース設定内容に基づいたシーケンスを運転する。
【００４３】
以上のように、本実施の形態によれば、端末装置２８は、ネットコース設定部３１により洗濯乾燥機２９によって実行されるプログラムの内容を設定し、このプログラムの内容を表す情報を端末送受信部３３により送信し、洗濯乾燥機２９は、端末装置２８より送信されたプログラムの内容を表す情報を洗濯乾燥機送受信部３８により受信し、このプログラムの内容を表す情報を記憶部４０に記憶し、記憶部４０に記憶されたプログラムの内容を表す情報に基づいて、制御部３９によりプログラム制御するので、端末装置２８は洗い、すすぎ、脱水、乾燥の各行程の内容を設定するネットコース設定部３１によってネットコースを設定でき、このネットコースを端末送受信部３３によって、洗濯乾燥機２９に転送し、洗濯乾燥機２９は洗濯乾燥機送受信部３８によって受信する。ここで、洗濯乾燥機送受信部３８がプログラム内容として、洗い、すすぎの少なくともいずれか一方と乾燥行程のみを受信した場合に、制御部３９は脱水行程を自動的に、記憶部４０に追加記憶させ、記憶部４０に記憶されたプログラムの内容を表す情報に基づいて、制御部３９によりプログラム制御する。
【００４４】
これにより、使用者はしばらく着ていない衣類を一度水洗いして乾燥したいと考えて、端末装置２８にて洗い、すすぎの少なくともいずれか一方とを選んで、特別運転コースの内容を端末装置２８から送信しても、脱水行程を自動的に追加したプログラム（特別運転コース）を記憶し、プログラム制御することができるので、使い勝手を向上することができる。
【００４５】
また、追加した脱水行程は予め決められた時間としているので、確実に脱水を行い、乾燥性能を満足することができ、使い勝手を向上することができる。
【００４６】
また、追加した脱水行程の時間を図５の脱水時間表示部２７ｃに表示するようにしたので、使用者によって設定されたプログラム（特別運転コース）の内容に脱水行程が追加になったことを脱水時間表示部２７ｃに表示することで、使用者に脱水行程が必要であったこと、または、脱水行程が運転することを知らせることができる。また、追加した脱水行程の時間を一定時間点滅させることで、使用者に脱水行程を自動的に追加したことをより確実に知らせることができる。
【００４７】
なお、本実施の形態では、洗いと乾燥の場合を例に挙げたが、すすぎと乾燥や洗い、すすぎと乾燥という組み合わせも同様である。
【００４８】
また、本実施の形態では、無線ネットワークによって端末装置２８と洗濯乾燥機２９とが接続されている例を示したが、赤外線またはｂｌｕｅｔｏｏｔｈによって接続されていてもよい。
【００４９】
（実施の形態２）
図５に示すように、脱水行程追加確認スイッチ（脱水行程追加確認手段）２６ｊは、これを押すことにより脱水行程の追加確認をするもので、操作部３７に設けている。脱水行程追加確認表示部２７ｇは脱水行程追加確認スイッチ２６ｊの受け付けを表示するものである。図１に示す制御部３９は、脱水行程追加確認スイッチ２６ｊが押されないと運転開始させないようにしている。他の構成は上記実施の形態１と同じである。
【００５０】
上記構成において図７を参照しながら動作を説明する。なお、図７で、ステップ４１からステップ４６までとステップ５０からステップ５３までは端末装置２８の動作を示し、ステップ４７からステップ４９までとステップ５４からステップ６１までは洗濯乾燥機２９の動作を示している。また、ステップ４１からステップ５９までの動作は上記実施の形態１の動作と同じであるので説明を省略する。
【００５１】
ステップ５６で、記憶部４０に記憶したコース設定が洗い、すすぎの少なくともいずれか一方と乾燥でない場合は、ステップ６１へ進みネットコース表示部２７ｆを点灯させ、ステップ５９へ進む動作は図６と同様である。ステップ５６で、記憶部４０の記憶したコース設定が洗い、すすぎの少なくともいずれか一方と乾燥であった場合は、ステップ６０にて、脱水行程追加確認スイッチ２６ｊを押すことによりステップ５９へ進む。ここで、この脱水行程追加確認スイッチ２６ｊの受け付けをよりわかりやすくさせるために、ステップ５８でネットコース表示部２７ｆが点灯するのと同時に脱水行程追加確認表示部２７ｇを点灯させ、ステップ６０で脱水行程追加確認スイッチ２６ｊが押されたときに消灯させることにより、受け付けの確認をよりわかりやすくすることができる。
【００５２】
以上のように、本実施の形態によれば、洗濯乾燥機２９に、脱水行程追加確認スイッチ２６ｊを設け、制御部３９は、脱水行程追加確認スイッチ２６ｊが押されないと運転開始させないようにしたので、使用者に脱水行程を追加してあることの認識をしてもらうことができる。
【００５３】
（実施の形態３）
図１に示すネットコース設定部（プログラム設定手段）３１によるプログラム内容として、洗い、すすぎの少なくともいずれか一方と乾燥行程のみを送信した場合に、ネットコース設定部３１にて異常表示を行うようにしている。他の構成は上記実施の形態１と同じである。
【００５４】
上記構成において図８を参照しながら動作を説明する。なお、図８で、ステップ４１からステップ４６までとステップ５０からステップ５３までとステップ６２、６３は端末装置２８の動作を示し、ステップ４７からステップ４９までとステップ５４、５５、５８、５９は洗濯乾燥機２９の動作を示している。
【００５５】
端末操作部３０に設けた電源ボタンを押すと、ステップ４１にて、図３（ａ）に示すように、ネットコース設定内容がネットコース設定部３１に設けた端末表示部３４に表示される。つぎに、ステップ４２にて、ネットコース設定内容の初期値から、洗い時間、すすぎ回数、脱水時間、乾燥時間のいずれかを変更させ、図９の（ａ）に示すように、洗い９分、乾燥９０分を設定したとする。このとき、ステップ４７のように、洗濯乾燥機２９の電源は切状態である。電源が切れているので、洗濯乾燥機２９は受信できる状態（受信可能状態）になっていない。そのため、図９（ａ）に示すように、転送開始ボタンは表示されていない。
【００５６】
つぎに、ステップ４８にて、洗濯乾燥機２９の電源入りスイッチ２６ｆを押すことによって、洗濯乾燥機２９の電源を入れる。ステップ４９にて、洗濯乾燥機２９は洗濯乾燥機送受信部３８により電源入データを送信する。ステップ５０にて、端末装置２８は、運転状態判定手段３６により洗濯乾燥機２９の電源が入ったことを認知する。つまり、洗濯乾燥機２９は受信可能状態になったことを認知する。その結果、ステップ５１にて、図９（ｂ）に示すように、端末操作部３０に転送開始ボタン３２を表示する。
【００５７】
つぎに、ステップ５２にて、ユーザが転送開始ボタン３２を押すと、ステップ６２にて、設定されたコースが洗い、すすぎのいずれか一方と乾燥かの判断を行う。設定したコースは洗い、乾燥のみであるため、洗濯乾燥機が正常に動作できないため、ステップ６３へ進み、ネットコース設定部３１に例えば「脱水を選んで下さい」というメッセージ３６を表示する。ステップ４２へ戻り、使用者は脱水時間を設定することにより、ステップ５０、ステップ５１、ステップ５２、ステップ６２、ステップ５３へ進み、コース設定全データを送信する。
【００５８】
以上のように、本実施の形態によれば、ネットコース設定部３１によるプログラム内容として、洗い、すすぎの少なくともいずれか一方と乾燥行程のみを送信した場合に、ネットコース設定部３１にて異常表示を行うようにしているので、使用者は洗濯乾燥機２９にプログラム（特別運転コース）を送信する時点で間違いを知ることができるので、脱水行程を追加したプログラムの内容で送信し直すことができる。
【産業上の利用可能性】
【００５９】
以上のように、本発明にかかる洗濯乾燥機の制御システムは、端末装置にて洗い、すすぎの少なくともいずれか一方と乾燥行程を選んで端末装置から送信しても、脱水行程を自動的に追加したプログラムを記憶し、プログラム制御することができ、使い勝手を向上することができるので、電話回線に接続した端末装置により制御する洗濯乾燥機の制御システムとして有用である。
【図面の簡単な説明】
【００６０】
【図１】本発明の実施の形態１の洗濯乾燥機の制御システムのブロック回路図
【図２】同洗濯乾燥機の制御システムの斜視図
【図３】（ａ）同洗濯乾燥機の制御システムの端末装置の操作部の拡大正面図（ｂ）同洗濯乾燥機の制御システムの端末装置の操作部のネットコース設定内容を転送する手順を説明する図
【図４】同洗濯乾燥機の制御システムに用いる洗濯乾燥機の断面図
【図５】同洗濯乾燥機の制御システムに用いる洗濯乾燥機の操作部の拡大正面図
【図６】同洗濯乾燥機の制御システムの動作フローチャート
【図７】本発明の実施の形態２の制御システムの動作フローチャート
【図８】本発明の実施の形態３の制御システムの動作フローチャート
【図９】（ａ）同洗濯乾燥機の制御システムの端末装置の操作部の拡大正面図（ｂ）同洗濯乾燥機の制御システムの端末装置の操作部の異常表示を説明する図
【図１０】従来の洗濯乾燥機の断面図
【図１１】同洗濯乾燥機のブロック図
【図１２】同洗濯乾燥機の操作部の拡大正面図
【符号の説明】
【００６１】
２８  端末装置
２９  洗濯乾燥機
３１  ネットコース設定部（プログラム設定手段）
３３  端末送受信部（端末側送受信手段）
３８  洗濯乾燥機送受信部（機器側送受信手段）
３９  制御部（制御手段）
４０  記憶部（不揮発性記憶手段）
【図１】
2005065910.tif 000003
【図２】
2005065910.tif 000004
【図３】
2005065910.tif 000005
【図４】
2005065910.tif 000006
【図５】
2005065910.tif 000007
【図６】
2005065910.tif 000008
【図７】
2005065910.tif 000009
【図８】
2005065910.tif 000010
【図９】
2005065910.tif 000011
【図１０】
2005065910.tif 000012
【図１１】
2005065910.tif 000013
【図１２】
2005065910.tif 000014